(57)【要約】【課題】  地球環境規模においても二酸化炭素の削減を可能とする、二酸化炭素固定方法を提供するところにある。【解決手段】  人工コケを用いて二酸化炭素を当該人工コケに固定化する方法であって、  前記人工コケが、養液中で生育したコケ稚苗を用いて養生されるコケ植物であり、  前記コケ稚苗は、養液中で、コケ類の配偶体の周囲に再生芽を繁殖させたコケ稚苗であり、  人工コケの稚苗を養生する植物工場環境を配置して、二酸化炭素を当該植物工場環境に含まれる人工コケに固定化する、二酸化炭素固定化方法。【選択図】  図９
2006254900.tif 000002
【特許請求の範囲】
【請求項１】
人工コケを用いて二酸化炭素を当該人工コケに固定化する、二酸化炭素固定化方法。
【請求項２】
前記人工コケを用いて、環境に含まれる二酸化炭素を当該人工コケに固定化する、請求項１記載の二酸化炭素固定化方法。
【請求項３】
前記人工コケが、養液中で生育したコケ稚苗を用いて養生されるコケ植物である、請求項１又は２記載の二酸化炭素固定化方法。
【請求項４】
前記コケ稚苗は、養液中で、コケ類の配偶体の周囲に再生芽を繁殖させたコケ稚苗である、請求項３記載の二酸化炭素固定化方法。
【請求項５】
人工コケの稚苗を養生する植物工場環境を配置して、二酸化炭素を当該植物工場環境に含まれる人工コケに固定化する、請求項１記載の二酸化炭素固定化方法。
【請求項６】
前記人工コケがセン類のコケ植物である、請求項１乃至５のいずれかの項に記載の二酸化炭素固定化方法。
【請求項７】
前記コケが、ギボウシゴケ属シモフリゴケ科のスナゴケ(学名Rhacomitrium canescens)である、請求項１乃至５のいずれかの項に記載の二酸化炭素固定化方法。
【請求項８】
前記人工コケの群体を地球上に配置して、地球大気環境に含まれる二酸化炭素を当該人工コケに固定化し、地球上の二酸化炭素量を削減させる、請求項３記載の二酸化炭素固定化方法。
【請求項９】
前記人工コケの群体が、当該人工コケの前記稚苗を養生して当該コケ植物を生産する植物工場環境で構成される、請求項８記載の二酸化炭素固定化方法。
【請求項１０】
前記植物工場環境が、住宅、ビルディング及び自動車の少なくともいずれかの場所の外気側に配置される請求項９記載の二酸化炭素固定化方法。
【請求項１１】
前記植物工場環境は、前記人工コケの稚苗が支持された支持体を含む大気環境で構成される、請求項９又は１０記載の二酸化炭素固定化方法。
【請求項１２】
前記コケ稚苗は、養液中で、温度０〜６０℃、光合成有効光量子束密度（ＰＰＦＤ）２００（μｍｏｌｍ−２ｓ−１）以下の各範囲内で、酸素を含む気体を断続的にコケ類の配偶体に接触させながら生育させるコケ稚苗である、請求項３記載の二酸化炭素固定化方法。
【請求項１３】
前記コケ稚苗は、養液中で、温度０〜６０℃、光合成有効光量子束密度（ＰＰＦＤ）２００（μｍｏｌｍ−２ｓ−１）以下の各範囲内で、曝気攪拌しながら生育させるコケ稚苗である、請求項３記載の二酸化炭素固定化方法。
【請求項１４】
前記コケ稚苗は、２４時間またはそれ以下の時間の周期で明暗期を繰り返して、コケ類を生育させるコケ稚苗である、請求項１２又は至１３記載の二酸化炭素固定化方法。
【請求項１５】
前記養液の肥料濃度が０〜１．０（ｍＳ／ｃｍ）である、請求項３記載の二酸化炭素固定化方法。
【請求項１６】
前記養液が植物ホルモンを含むことを特徴とする請求項１５記載の二酸化炭素固定化方法。
【請求項１７】
前記植物ホルモンが、少なくともジベレリン、サイトカイ二ン、オーキシンのうちの一つを含む請求項１６記載の二酸化炭素固定化方法。
【請求項１８】
コケの配偶体の周囲に再生芽が繁殖した、二酸化炭素固定用コケ稚苗。
【請求項１９】
繁殖した前記再生芽の先端の包絡面が紡錘状をした、請求項１８記載の二酸化炭素固定用コケ稚苗。
【請求項２０】
配偶体の周囲に繁殖方向性を持った再生芽を有する、請求項１８又は１９記載の二酸化炭素固定用コケ稚苗。
【請求項２１】
請求項１８乃至１９のいずれかの項に記載のコケ稚苗を養生した二酸化炭素固定用人工コケ。
【請求項２２】
コケの配偶体の周囲に再生芽が繁殖して生育した二酸化炭素固定用人工コケ。
【請求項２３】
コケの配偶体の周囲に再生芽が繁殖したコケ稚苗が支持された二酸化炭素固定用人工コケマット。
【発明の詳細な説明】
【技術分野】
【０００１】
本発明は、人工コケを用いた二酸化炭素固定方法に関する。
【背景技術】
【０００２】
二酸化炭素の削減は、地球環境規模において重要であることは周知であるが、有効な手段は未だ講じられていないのが現状である。
【発明の開示】
【発明が解決しようとする課題】
【０００３】
本発明の課題は、地球環境規模においても二酸化炭素の削減を可能とする、二酸化炭素固定方法を提供するところにある。
【課題を解決するための手段】
【０００４】
上記課題を達成するため本発明は、次の構成を採用した。
請求項１発明は、人工コケを用いて二酸化炭素を当該人工コケに固定化する、二酸化炭素固定化方法である。
請求項２発明は、前記人工コケを用いて、環境に含まれる二酸化炭素を当該人工コケに固定化する、請求項１記載の二酸化炭素固定化方法である。
請求項３発明は、前記人工コケが、養液中で生育したコケ稚苗を用いて養生されるコケ植物である、請求項１又は２記載の二酸化炭素固定化方法である。
請求項４発明は、前記コケ稚苗は、養液中で、コケ類の配偶体の周囲に再生芽を繁殖させたコケ稚苗である、請求項３記載の二酸化炭素固定化方法である。
請求項５発明は、人工コケの稚苗を養生する植物工場環境を配置して、二酸化炭素を当該植物工場環境に含まれる人工コケに固定化する、請求項１記載の二酸化炭素固定化方法である。
請求項６発明は、前記人工コケがセン類のコケ植物である、請求項１乃至５のいずれかの項に記載の二酸化炭素固定化方法である。
請求項７発明は、前記コケが、ギボウシゴケ属シモフリゴケ科のスナゴケ(学名Rhacomitrium canescens)である、請求項１乃至５のいずれかの項に記載の二酸化炭素固定化方法である。
請求項８発明は、前記人工コケの群体を地球上に配置して、地球大気環境に含まれる二酸化炭素を当該人工コケに固定化し、地球上の二酸化炭素量を削減させる、請求項３記載の二酸化炭素固定化方法である。
請求項９機発明は、前記人工コケの群体が、当該人工コケの前記稚苗を養生して当該コケ植物を生産する植物工場環境で構成される、請求項８記載の二酸化炭素固定化方法である。
請求項１０発明は、前記植物工場環境が、住宅、ビルディング及び自動車の少なくともいずれかの場所の外気側に配置される請求項９記載の二酸化炭素固定化方法である。
請求項１１発明は、前記植物工場環境は、前記人工コケの稚苗が支持された支持体を含む大気環境で構成される、請求項９又は１０記載の二酸化炭素固定化方法である。
請求項１２発明は、前記コケ稚苗は、養液中で、温度０〜６０℃、光合成有効光量子束密度（ＰＰＦＤ）２００（μｍｏｌｍ−２ｓ−１）以下の各範囲内で、酸素を含む気体を断続的にコケ類の配偶体に接触させながら生育させるコケ稚苗である、請求項３記載の二酸化炭素固定化方法である。
請求項１３発明は、前記コケ稚苗は、養液中で、温度０〜６０℃、光合成有効光量子束密度（ＰＰＦＤ）２００（μｍｏｌｍ−２ｓ−１）以下の各範囲内で、曝気攪拌しながら生育させるコケ稚苗である、請求項３記載の二酸化炭素固定化方法である。
請求項１４発明は、前記コケ稚苗は、２４時間またはそれ以下の時間の周期で明暗期を繰り返して、コケ類を生育させるコケ稚苗である、請求項１２又は至１３記載の二酸化炭素固定化方法である。
請求項１５発明は、前記養液の肥料濃度が０〜１．０（ｍＳ／ｃｍ）である、請求項３記載の二酸化炭素固定化方法である。
請求項１６発明は、前記養液が植物ホルモンを含むことを特徴とする請求項１５記載の二酸化炭素固定化方法である。
請求項１７発明は、前記植物ホルモンが、少なくともジベレリン、サイトカイ二ン、オーキシンのうちの一つを含む請求項１６記載の二酸化炭素固定化方法である。
請求項１８発明は、コケの配偶体の周囲に再生芽が繁殖した、二酸化炭素固定用コケ稚苗である。
請求項１９発明は、繁殖した前記再生芽の先端の包絡面が紡錘状をした、請求項１８記載の二酸化炭素固定用コケ稚苗である。
請求項２０発明は、配偶体の周囲に繁殖方向性を持った再生芽を有する、請求項１８又は１９記載の二酸化炭素固定用コケ稚苗である。
請求項２１発明は、請求項１８乃至１９のいずれかの項に記載のコケ稚苗を養生した二酸化炭素固定用人工コケである。
請求項２２発明は、コケの配偶体の周囲に再生芽が繁殖して生育した二酸化炭素固定用人工コケである。
請求項２３発明は、コケの配偶体の周囲に再生芽が繁殖したコケ稚苗が支持された二酸化炭素固定用人工コケ群体(例えばマット)である。
なお、本発明の好ましい態様は、人工コケを用いて二酸化炭素を当該人工コケに固定化する方法であって、
前記人工コケが、養液中で生育したコケ稚苗を用いて養生されるコケ植物であり、
前記コケ稚苗は、養液中で、コケ類の配偶体の周囲に再生芽を繁殖させたコケ稚苗であり、
人工コケの稚苗を養生する植物工場環境を配置して、二酸化炭素を当該植物工場環境に含まれる人工コケに固定化する、二酸化炭素固定化方法である。
【発明の効果】
【０００５】
コケは、光合成面積が大きく、二酸化炭素を吸収する気孔を持っており、これが二酸化炭素を吸収固定するものと考えられる。本発明の人工コケは、コケの生育環境を自然環境に求めず、養液中でコケ類の稚苗を生育させたところ、元来液中では枯化し死滅するものと考えていたコケ類の配偶体の周囲に再生芽（側芽）が高速大量に繁殖するという予期せぬ現象を見出したことから、かかる人工ゴケとして、稚苗段階でコケの配偶体の周囲に再生芽が繁殖した構成を持たせ、人工的な制御環境下で高速大量のコケ稚苗を用いるようにした。本発明の人工ゴケは、かかる稚苗を用いた人工コケによる二酸化炭素固定方法であるため、自然環境のコケと比較して格別顕著な多量の二酸化炭素を吸収固定することができる。
【０００６】
従って、本発明は、前記コケ稚苗の生育途中の又は生育後の前記人工コケを用いて、多量の二酸化炭素を吸収固定することができる。これにより、かかる人工コケを地球上に配置し、好ましくは前記コケ稚苗が生育する植物工場を配置することにより、地球環境規模においても二酸化炭素の削減を可能とするものである。
【発明を実施するための最良の形態】
【０００７】
（人工コケ）
本発明に使用されるコケとしては特に限定されないが、有菌又は無菌を問わないが、養液中で生育させて配偶体の周囲に再生芽が繁殖するコケ類であればいずれも使用できる。例えば、セン類やタイ類、中でもセン類のコケ植物が好ましい。例えば、セン類においては、スナゴケ、ハイスナゴケ、エゾスナゴケ、シモフリゴケ、クロカワキゴケ、キスナゴケ、ヒメスナゴケ、ミヤマスナゴケ、ナガエノスナゴケ、チョウセンスナゴケ、マルバナスナゴケ等のシモフリゴケ属（Rhacomitrium Bird.）、トヤマシノブゴケ、ヒメシノブゴケ、オオシノブゴケ、コバノエゾシノブゴケ、エゾシノブゴケ、アオシノブゴケ、チャボシノブゴケ等のシノブゴケ属（Thuidium  B.S.G）、コウヤノマンネングサ、フロウソウ等のコウヤノマンネングサ属（Climacium Web.et Mohr）、カモジゴケ、シッポゴケ、オオシッポゴケ、チャシッポゴケ、チシマシッポゴケ、アオシッポゴケ、ナミシッポゴケ、ナガシッポゴケ、ヒメカモジゴケ、コカモジゴケ、タカネカモジゴケ、フジシッポゴケ、カギカモジゴケ、ナスシッポゴケ等のシッポゴケ属（Dicranum  Hedw.）、ハイゴケ、オオベニハイゴケ、ヒメハイゴケ、チチブハイゴケ、フジハイゴケ、ハイヒバゴケ、イトハイゴケ、キノウエノコハイゴケ、キノウエノハイゴケ、ミヤマチリメンゴケ、ハイサワラゴケモドキ、タチヒラゴケモドキ、エゾハイゴケ等のハイゴケ属（Hypnum  Hedw.）、ヒノキゴケ、ヒロハヒノキゴケ、ハリヒノキゴケ等のヒノキゴケ属（Rhizogonium Brid.）等を用いることができる。
【０００８】
タイ類においては、ツクシウロコゴケ、ウロコゴケ、オオウロコゴケ、トサカゴケモドキ、マルバソコマメゴケ、アマノウロコゴケ等のウロコゴケ属（Heteroscyphus Schiffn. ）、クラマゴケモドキ、カハルクラマゴケモドキ、トサクラマゴケモドキ、ヒメクラマゴケモドキ、ヤマトクラマゴケモドキ、ナガバクラマゴケモドキ、オオクラマゴケモドキ、ニスビキカヤゴケ、ケクラマゴケモドキ、ホソクラマゴケモドキ等のクラマゴケモドキ属（Porella.L）、ヤマトムチゴケ、ヨシナガムチゴケ、フォウリィムチゴケ、エゾムチゴケ、タマゴバムチゴケ、フタバムチゴケ、サケバムチゴケ、ヤマムチゴケ、ムチゴケ、コムチゴケ、マエバラムチゴケ等のムチゴケ属（Bazzania  S.Gray ）等に属するコケ類を用いることができる。
【０００９】
特に、スナゴケ、ハイスナゴケ、エゾスナゴケなどのスナゴケ（Rhacomitrium Canescens）は、ビルなどへの配置に好適である。このコケは、成長のための土壌も肥料も不要とすることができ、例えばビルの壁面に過剰な負担をかけず、非常に乾燥した状況で生存することができる。自然環境では生育速度がきわめて遅いが、本発明では大量高速でこの種の稚苗も栽培可能である。
【００１０】
養液中で生育させる原料コケ（元種苗）は野山等に自生するコケの自生種や市販種などから配偶体、特に茎葉体の形態を持つ配偶体を採取することによって得られる。
【００１１】
養液の温度は、０〜６０℃、好ましくは５〜５０℃、更に好ましくは１５〜２５℃である。養液の温度が０℃未満であると、養液が凍るため好ましくない。６０℃を超えると、微生物等の繁殖がし易くなり、コケの成長が遅延するため好ましくない。
【００１２】
養液の肥料濃度は、電気伝導度（ｍＳ／ｃｍ）で０〜１．０、好ましくは０〜０．２であり、低濃度又は肥料を含まない養液が好ましい。肥料としては通常の肥料（例えばハイポネックス）を用いることができる。肥料濃度が１．０（ｍＳ／ｃｍ）を超えると、肥料としては濃すぎる為、コケ稚苗の成長が遅延し易くなるため好ましくない。
【００１３】
養液には植物ホルモンを含むことが好ましい。植物ホルモンにはエチレン、アブシジン酸、オーキシン（インドール酢酸）、サイトカイ二ン（ゼアチン）、ジベレリン（ジベレリン酸）等が上げられるが、植物成長ホルモンが好ましく、中でもオーキシン、サイトカイ二ン、ジベレリンが好ましい。成長促進効果が大きいためジベレリンが最も好ましい。これらは単独で用いられてもよく混合及び／又は併用して用いられてもよい。植物成長ホルモン濃度は、濃いと生理障害を起こすため通常の園芸用に用いる濃度より千倍程度薄くした０．０１〜０．２ｐｐｍが好ましく、より好ましくは０．１ｐｐｍである。
【００１４】
コケの生育には光が必要である。光は自然光でも人工光でもよく光源は特に限られないが、光合成でき、成長を阻害しない波長域の成分を有することが必要である。人工環境下で育成させる場合には、通常の白熱灯、蛍光灯、水銀灯、ＬＥＤ等を用いることができるが、低エネルギーコスト、熱制御の容易さ、メンテナンスの容易さからＬＥＤが好ましく、中でも赤、橙色光を発光するＬＥＤが好ましい。ＬＥＤはコケ培養装置に組み込む時は二次元アレー状に配列されたものを用いれば、コンパクトになる。したがって送気管に連結した平型バブラーを有し養液およびコケの配偶体を入れた培養容器と、ＬＥＤアレイとを併せ有するものを単位とし同単位を立体的に多数重ねて構成することが容易となる。ＬＥＤアレイは低電力量で廃熱も少なく長寿命のため好ましい。
【００１５】
光合成有効光量子束密度（ＰＰＦＤ）は２００（μｍｏｌｍ−２ｓ−１）以下、特に光合成有効光量子束密度（ＰＰＦＤ）が５０（μｍｏｌｍ−２ｓ−１）以下が好ましく更に好ましくは光補償点以上であって２０〜３０（μｍｏｌｍ−２ｓ−１）である。光量子束密度が高いと、コケ稚苗の成長が遅延し易くなるため好ましくない。なお、養液中でコケ稚苗を生育させる場合は、明暗期を繰り返して調光することが好ましい。特に、２４時間またはそれ以下の時間の周期で明暗期を繰り返して生育させることが好ましい。一定周期で明暗期を繰り返すことにより、光合成と代謝のバランスが確保されるため好ましい。従って、例えば最初は１２時間ごと、一定期間後６時間ごとにするなど、明暗期のサイクル時間を稚苗の生育に応じて制御することによって、再生芽の繁殖量乃至速度等を制御することができる。
【００１６】
光刺激により再生芽が生じる再生芽の方向は重力、光の方向、酸素濃度等の影響を受ける。側芽の成長方向は向光性を有する。養液中で浮遊状態にあるコケ配偶体に３６０度方向から照光すれば再生芽はあらゆる方向に生じる。このため繁殖した前記再生芽の先端の包絡面が紡錘状をしたコケ稚苗が生じる。一方再生芽の成長方向を光の照射方向により制御することもできるため、コケマットの設計に当たり側芽を伸ばしたい方向から照射すれば、光の入射方向に再生芽が成長する。
【００１７】
コケマット支持体にコケ配偶体を充填し、配偶体の自由運動を禁じた状態で養液中で生育させる場合はコケマット支持体の開口面に対し垂直方向から光照射すれば開口部に向けて再生芽が生じる。その状態で養液外に取り出し、更にコケマット支持体の開口面に対し垂直方向から光照射するようにして養生することにより、マット開口部からいわゆるコケの穂がマット面に垂直に揃い伸びたコケマットを生産することができる。
【００１８】
一方コケマット支持体にコケ配偶体を充填し、配偶体の自由運動を禁じた状態で養液中で生育させる場合はコケマット支持体の開口面に対し垂直方向から光照射すれば開口部に向けて再生芽が生じる。そのまま養液中で培養を続けることによりマット開口部から再生芽の先端が、いわゆるコケの穂状にマット面に垂直に揃い伸びたコケマットを一挙に生産することができる。
【００１９】
また、本発明の方法は、養液中で曝気攪拌など酸素を含む気体を断続的にコケ類の配偶体に接触させ攪拌しながら生育させることが重要である。これにより、元来液中においては枯化又は死滅する再生芽が繁殖し、増殖する。空気などの気体をバブリングして攪拌する方法は曝気攪拌に限定されないが、曝気攪拌が簡便な方法として好ましい。
【００２０】
なお、本発明の方法を実施するための装置は、恒温、恒光で環境調整するため完全制御型が好ましく、大量生産に好適な植物工場の前段階を構成することが可能である。したがって、上記方法で得られたコケ稚苗を、植物工場環境でコケマット用媒体に移し養生すれば、大量の配偶体から繁殖し増殖した大量の再生芽が植物工場の制御環境下、特にコンピューター制御下でさらに生育し、大量のコケ群落を生産することができることから、一連の二酸化炭素固定用人工コケ植物の生産工場としてシステム化することができる。
【実施例】
【００２１】
（コケ稚苗の培養）
大阪府和泉市の山から採取した野生のスナゴケ（キボウシゴケ属シモフリゴケ科、学名：Phacomitrium canescens）の一部（茎葉体を有する配偶体）を切断してコケ片（１５ｍｍ）をサンプルとし、これら２５ｇを５００ミリリットルの培養タンクに入れ、蛍光灯による光合成有効光量子束密度（ＰＰＦＤ）５０（μｍｏｌｍ−２ｓ−１）、１２時間明暗期、養液温度１５℃、肥料濃度０．２（ｍＳ／ｃｍ）のハイポネックスという完全制御の環境下で、空気をバブリングして攪拌し、稚苗を栽培した。
【００２２】
図１はコケ片の栽培開始０日の画像を示す図であり、図２は図１を線図として示した図、図３同栽培７日目の画像を示す図、図４は図３を線図として示した図であり、図５は栽培２１日目の画像を示す図であり、図６は図５を線図として示した図、図７は同栽培５０日目の画像を示す図、図８は図７を線図として示した図である。画像図はいずれもコケ片をデジタル写真撮影し、それをコンピューター上で画像処理して約３倍に拡大した状態を示している。
【００２３】
図１（図２）に示す様に、栽培０日ではスナゴケの配偶体１には茎葉体４だけが葉柄３の周囲にあるが、図５（図６）及び図７（図８）に示す様に、栽培２１日から５０日には配偶体１の周囲に複数乃至多数の再生芽２が明らかに繁殖し増殖している。再生芽２は枯化又は休眠した葉柄３から繁殖しているものと考えられる。これにより、かかる方法によれば、コケの配偶体１の全周に再生芽２が繁殖したコケ稚苗が提供できる。
上記環境条件でコケ稚苗のそれぞれ生育速度は３週間でそれぞれ約５ｍｍであった。これは自然環境で生育速度の約８倍に相当する。
【００２４】
また植物工場の前工程として稚苗生産を構成する場合、上記の様な生産方法を採用すると、例えば、栽培量は培養タンクの容量に比例する設計を採用できることから、５リットルタンクで０．２５ｍ２分の稚苗を育てることができる。
【００２５】
（二酸化炭素固定の評価）
次に、コケ密度０．１ｇ／ｃｍ３（乾物）となるように上記人工コケ（コケ植物）を、閉鎖された下記の環境に配置し、二酸化炭素固定の評価をした。なお、比較のため、上記人工コケが含まれていない以外は同一条件における空気中の二酸化炭素量（ブランク）も測定した。
ＣＯ２ガス濃度；５００  μｍｏｌ／ｓｅｃ  （１１．２  ｃｃ／ｓｅｃ）
照度（メタルハライドランプ）；５００μｍｏｌ／ｍ２／ｓ
コケ受光面積；１５３  ｃｍ２
温度；２０℃
湿度；１２％
なお、二酸化炭素の計測は、ＬＩ−６４００Ｐ  ＩＲＧＡ（Ｌｉ−ＣＯＲ社製）を用いて行なった。
【００２６】
その結果、ＣＯ２吸収量は２００ｐｐｍ／１５３ｃｍ２であつた。図９は、計測されたデータ（計測開始後３０分定常）を示す。図９において、ＣＯ２Ｒは上記人工コケが含まれていない空気中の二酸化炭素量（ブランク）を示し、ＣＯ２Ｓは上記人工コケが含まれている空気中の二酸化炭素量（ブランク）を示している。
【００２７】
上記により、
２００ｐｐｍ（ｍｌ／Ｌ）×１０−６Ｌ／ｃｍ３×１１．２ｃｍ３／ｓ＝０．００２２４ｍｌ／ｓ
０．００２２４ｍｌ／ｓ÷２２４００ｍｌ／ｍｏｌ＝０．００００００１ｍｏｌ／ｓ
となり、
単位面積当たりの吸収量は、
０．００００００１×４４ｇ／ｍｏｌＣＯ２×１００００／１５３＝０．０００２８８ｇ／ｍ２／ｓ
０．０００２８８ｇ／ｍ２／ｓ×６０ｓｅｃ×６０ｍｉｎ≒１ｇ／ｍ２／ｈ
である。
【００２８】
上記により、コケ順化プラントでは光環境、温度環境、ＣＯ２  ガス環境を自由に制御可能であることから６００ｍ２の生産プラントで２ヶ月間の標準順化期間で試算すると、８６０ｋｇの二酸化炭素の固定が可能である。
【００２９】
一般に、フィンランドにおける森林の二酸化炭素の吸収が約０．１トン／Ｋｍ２／日であることと比較すると、本実施例にかかる人工コケによる二酸化炭素固定量は各別顕著な作用効果を奏することが理解できる。
【産業上の利用可能性】
【００３０】
本発明の方法によれば、人工的な制御環境下で高速大量に生産することができ、かつコケの配偶体の周囲に再生芽が繁殖したコケ稚苗を養生した人工コケを用いて二酸化炭素を固定化する方法であるので、多量の二酸化炭素を吸収固定することができる。これにより、かかる人工コケを地球上に配置し、好ましくは前記コケ稚苗が生育する植物工場を配置することにより、地球環境規模においても二酸化炭素の削減を可能とするものである。
【図面の簡単な説明】
【００３１】
【図１】コケ片の栽培開始０日の画像を示す図である。
【図２】図１を線図として示した図である。
【図３】同栽培７日目の画像を示す図である。
【図４】図３を線図として示した図である。
【図５】同栽培２１日目の画像を示す図である。
【図６】図５を線図として示した図である。
【図７】同栽培５０日目の画像を示す図である。
【図８】図７を線図として示した図である。
【図９】二酸化炭素の濃度変化を示す、時間（分）と二酸化炭素濃度（ｐｐｍ）との関係を示すグラフである。
【符号の説明】
【００３２】
１  配偶体
２  再生芽
３  葉柄
４  茎葉体
【図２】
2006254900.tif 000003
【図４】
2006254900.tif 000004
【図６】
2006254900.tif 000005
【図８】
2006254900.tif 000006
【図９】
2006254900.tif 000007
【図１】
2006254900.tif 000008
【図３】
2006254900.tif 000009
【図５】
2006254900.tif 000010
【図７】
2006254900.tif 000011